(57)【要約】      （修正有）【目的】競技フィールドに散らばっている球技用小型球を効率よく回収できる球技用小型球の回収用ちりとりを提供する。【構成】箱本体の開口部１３の底部先端に断面略凸形のストッパー２を設け、箱本体内１２に小型球８などの収容物を入れ易く、入れた収容物が不用意に箱本体の外に出ない構成とした。【選択図】図２
0003226693.tif 000002
【実用新案登録請求の範囲】
【請求項１】
箱本体の開口部の底部先端に、該箱本体内に収容物を入れ易く、入れた収容物が不用意に箱本体内から出て行かないようになしたストッパーを設けたことを特徴とする球技用小型球の回収用ちりとり。
【請求項２】
請求項１に記載の球技用小型球の回収用ちりとりであって、
前記箱本体の開口部の先端部に収容物のストッパーを設けて、収容物の有効回収空間を拡大し、収容物の収容数を増加させたことを特徴とする球技用小型球の回収用ちりとり。
【請求項３】
請求項１又は２に記載の球技用小型球の回収用ちりとりであって、
箱本体の底板に、土・砂やゴミ等を該箱本体内から落下させる穴を形成したことを特徴とする球技用小型球の回収用ちりとり。
【考案の詳細な説明】
【技術分野】
【０００１】
本考案は、例えば、テニスコートに散らばっているテニスボールをはじめ、卓球のボール、野球のボール、ゴルフボール、バトミントンのシャトルコックなどの球技用小型球を回収するのに使用される回収用ちりとりに関する。
【背景技術】
【０００２】
例えば、テニスなどでコーチが生徒に教える場合、大量のボールなどを使用する。ところが、ある程度練習するとボールなどを回収しなければならない。テニスを例にとると、通常、ラケットでボールをかきとったり、ラケットにボールを載せたりしてカゴに入れることが多い。
【０００３】
ところで、散らばったものを回収する用具として、ごみとり用のちりとりが周知である（例えば、特許文献１参照）。
【先行技術文献】
【特許文献】
【０００４】
【特許文献１】実用新案登録第３０９０２３１号公報
【考案の概要】
【考案が解決しようとする課題】
【０００５】
上記従来の回収作業では、少数のボールであれば問題はないが、多数のボールが広範囲に散らばっていたりすると、移動したり、屈んだりしての回収作業になることが多く、腰を痛めたりするなど、体への負担が大きく効率が良くない。
【０００６】
本考案は、上記従来の問題を解消すべく創案されたものであり、テニスボールなどの球技用小型球を回収し易く、回収したボールなどが不用意に転がり出ることのない球技用小型球の回収用ちりとりを提供することを目的としている。
【課題を解決するための手段】
【０００７】
上記目的を達成するため、本考案に係る球技用小型球の回収用ちりとりは、ちりとり箱の入り口にボールなどが不用意に転がり出ないストッパーを設けた。
【考案の効果】
【０００８】
散らばっているボールなどをちりとり箱の中に入れ易く、入ったボールは不用意に転がり出ないストッパーをちりとり箱の前部に設けたので、熊手のような道具やラケットなどを用いて、移動しながらテニスボールなどを効率的に回収できる。
【０００９】
また、ストッパーを箱の入り口近くに設けることで、回収できるボールなどの数を増やすことができる。
【００１０】
さらに、ちりとりの取っ手を地面から高いところに配置できるため、立ったまま、かがまないで回収作業ができるため、体への負担が少なくなる。
【図面の簡単な説明】
【００１１】
【図１】本考案の一実施形態を示す全体斜視図である。
【図２】図１のＡ−Ａ線断面図である。
【考案を実施するための形態】
【００１２】
以下、本考案の一実施形態について、図面を参照しながら説明する。なお、以下の実施形態では、球技用小型球としてテニスボールを例に挙げているが、本考案はこれに限定されるものではない。
【００１３】
回収用ちりとりの箱本体１の側板１１には取手７が取り付けられている。この取７の高さは、ボール８の回収作業を行う際に体への負担が少なくなるように考えて設定する。場合によっては、取手７の高さが調整できるようになしてもよい。また、取手７の形状は図示例に限定するものではない。
【００１４】
図中の符号５は箱本体１の底板を、６は底板５に形成した複数本の溝穴を示し、テニスボール８などは箱内１２から落下しないが、ボールなどと一緒に箱内１２に入った土、砂やゴミなどはこの溝穴６から箱本体１の外へ落下するように形成してある。底板５に形成する溝穴６の大きさは、回収したボール８などが落下しなければどのような形状であってもよい、例えば円形や三角形のような形状であってもよい。図中の符号１３は、箱本体１の側板１１を取り外してテニスボール８などを回収する開口部である。
【００１５】
この開口部１３の先端の底板５にはストッパー２が設けられている。このストッパー２の断面は略凸形であるが、受け部２１は緩やかに傾斜してテニスボール８などが箱内１２に入り易くなし、止め部２２はボール８などが不用意に箱本体１の外に落下しないように急斜面となるように形成している。止め部２２や受け部２１の形状は限定するものではなく、ボール８が入り易く、入ったものは出にくければよい。例えば、受け部２１は中央部がアール状に下方に凹んだ形状であってもよい。また、止め部２２は頂部２３から垂直に近い状態に底板５向けて垂下させた形状にしている。この頂部２３と底板５の高さはボール８の約半分くらいがよい。
【００１６】
ストッパー２は、底板５の先端部を折り曲げて形成しても、別部材で形成したものを開口部１３の先端部に接着などの方法で取り付けてもよい。また、毛状や柔らかい樹脂・ゴムなどを使用したブラシ状のストッパーを形成してこの先端部に取り付けて、ボール８などが入り易く、不用意には落下しにくくなしてもよい。
【００１７】
もちろん、箱本体１やストッパー２はプラスチックで一体成型したものであってもよい。箱本体１はその他、鉄板などの金属板や木材で形成したものであってもよい。
【符号の説明】
【００１８】
１  箱本体
２  ストッパー
２１  ストッパー２の前部に形成した斜面
２２  ストッパー２の後部に形成したテニスボールなどの止め部
２３  止め部の頂部
５    底板
６    底板に形成した溝穴
７    取手
８    テニスボ−ルなど
１１  側板
１２  箱内
１３  開口部
【図１】
0003226693.tif 000003
【図２】
0003226693.tif 000004
【手続補正書】
【提出日】令和2年3月10日(2020.3.10)
【手続補正１】
【補正対象書類名】明細書
【補正対象項目名】全文
【補正方法】変更
【補正の内容】
【考案の詳細な説明】
【技術分野】
【０００１】
本考案は、例えば、テニスコートに散らばっているテニスボールをはじめ、卓球のボール、野球のボール、ゴルフボール、バトミントンのシャトルコックなどの球技用小型球を回収するのに使用される回収用ちりとりに関する。
【背景技術】
【０００２】
例えば、テニスなどでコーチが生徒に教える場合、大量のボールなどを使用するが、ある程度練習するとボールなどを回収しなければならないので、テニスを例にとると、通常、ラケットでボールをかきとったり、ラケットにボールを載せたりしてカゴに入れることが多い。
【０００３】
ところで、散らばったものを回収する用具として、ごみとり用のちりとりが周知である（例えば、特許文献１参照）。
【先行技術文献】
【特許文献】
【０００４】
【特許文献１】実用新案登録第３０９０２３１号公報
【考案の概要】
【考案が解決しようとする課題】
【０００５】
上記従来の回収作業では、少数のボールであれば問題はないが、多数のボールが広範囲に散らばっていたりすると、移動したり、屈んだりしての回収作業になることが多く、腰を痛めたりするなど、体への負担が大きく効率が良くない。
【０００６】
本考案は、上記従来の問題を解消すべく創案されたものであり、テニスボールなどの球技用小型球を回収し易く、回収したボールなどが不用意に転がり出ることのない球技用小型球の回収用ちりとりを提供することを目的としている。
【課題を解決するための手段】
【０００７】
上記目的を達成するため、本考案に係る球技用小型球の回収用ちりとりは、ちりとり箱の入り口にボールなどが不用意に転がり出ないストッパーを設けた。
【考案の効果】
【０００８】
散らばっているボールなどをちりとり箱の中に入れ易く、入ったボールは不用意に転がり出ないストッパーをちりとり箱の前部に設けたので、熊手のような道具やラケットなどを用いて、移動しながらテニスボールなどを効率的に回収できる。
【０００９】
また、ストッパーを箱の入り口近くに設けることで、回収できるボールなどの数を増やすことができる。
【００１０】
さらに、ちりとりの取っ手を地面から高いところに配置できるため、立ったまま、かがまないで回収作業ができるため、体への負担が少なくなる。
【図面の簡単な説明】
【００１１】
【図１】本考案の一実施形態を示す全体斜視図である。
【図２】図１のＡ−Ａ線断面図である。
【考案を実施するための形態】
【００１２】
以下、本考案の一実施形態について、図面を参照しながら説明するが、以下の実施形態では、球技用小型球としてテニスボールを例に挙げているが、本考案はこれに限定されるものではない。
【００１３】
回収用ちりとりの箱本体１の側板１１には取手７が取り付けられているので、この取手７の高さは、ボール８の回収作業を行う際に体への負担が少なくなるように考えて設定し、場合によっては、取手７の高さが調整できるようになしてもよく、また、取手７の形状は図示例に限定するものではない。
【００１４】
図中の符号５は箱本体１の底板を、６は底板５に形成した複数本の溝穴を示し、テニスボール８などは箱内１２から落下しないが、ボールなどと一緒に箱内１２に入った土、砂まはたゴミを、この溝穴６から箱本体１の外へ落下するように形成してあるので、底板５に形成する溝穴６の大きさは、回収したボール８などが落下しなければどのような形状であってもよく、例えば円形や三角形のような形状であってもよい。図中の符号１３は、箱本体１の側板１１を取り外してテニスボール８などを回収する開口部である。
【００１５】
この開口部１３の先端の底板５にはストッパー２が設けられているが、このストッパー２の断面は略凸形であるので、受け部２１は緩やかに傾斜してテニスボール８などが箱内１２に入り易くなり、止め部２２はボール８などが不用意に箱本体１の外に落下しないように急斜面となるように形成していて、止め部２２や受け部２１の形状は限定するものではなく、ボール８が入り易く、入ったものは出にくければよく、例えば、受け部２１は中央部がアール状に下方に凹んだ形状であってもよいし、また、止め部２２は頂部２３から垂直に近い状態に底板５向けて垂下させた形状にしているので、この頂部２３と底板５の高さはボール８の約半分くらいがよい。
【００１６】
ストッパー２は、底板５の先端部を折り曲げて形成しても、別部材で形成したものを開口部１３の先端部に接着などの方法で取り付けてもよく、また、毛状や柔らかい樹脂・ゴムなどを使用したブラシ状のストッパーを形成してこの先端部に取り付けて、ボール８などが入り易く、不用意には落下しにくくなしてもよい。
【００１７】
もちろん、箱本体１やストッパー２はプラスチックで一体成型したものであってもよいが、箱本体１はその他、鉄板などの金属板や木材で形成したものであってもよい。
【符号の説明】
【００１８】
１ 箱本体
２ ストッパー
２１  ストッパー２の前部に形成した斜面
２２  ストッパー２の後部に形成したテニスボールなどの止め部
２３  止め部の頂部
５    底板
６    底板に形成した溝穴
７    取手
８    テニスボ−ルなど
１１  側板
１２  箱内
１３  開口部
【手続補正２】
【補正対象書類名】実用新案登録請求の範囲
【補正対象項目名】全文
【補正方法】変更
【補正の内容】
【実用新案登録請求の範囲】
【請求項１】
箱本体の開口部の底部先端に、この箱本体内に入れた収容物が箱本体内から出て行かないようになしたストッパーを設けたことを特徴とする球技用小型球の回収用ちりとり。
【請求項２】
請求項１に記載の球技用小型球の回収用ちりとりであって、
箱本体の底板に、土・砂またはゴミを該箱本体内から落下させる穴を形成したことを特徴とする球技用小型球の回収用ちりとり。